(57)【要約】【課題】開封時における内溶液の液ハネを防止することができるアンプル容器を提供することを目的とする。【解決手段】内容液Ｘを収容した容器本体２と、容器本体２の口部２３に装着されるキャップ体３と、を備えており、キャップ体３が、口部２３内に連通する開口３０ａが形成された天壁部３０と、天壁部３０から垂下されて口部２３の外側に周設された外筒部３１と、開口３０ａの上方に配設された頭部３３と、頭部３３の下端に連設されて頭部３３を容器本体２に対して相対的に動かすことで切断可能な弱化部３４と、を有するアンプル容器１において、キャップ体３には、口部２３の内側に配置されているとともに天壁部３０の下面から垂下され、下方に向かうに従い漸次縮径された筒状の内筒部３５が備えられている。【選択図】図１
2009153900.tif 000002
【特許請求の範囲】
【請求項１】
内容液を収容した容器本体と、該容器本体の口部に装着されるキャップ体と、を備えており、
該キャップ体が、前記口部内に連通する開口が形成された天壁部と、該天壁部から垂下されて前記口部の外側に周設された外筒部と、前記開口の上方に配設された頭部と、該頭部の下端に連設されて該頭部を前記容器本体に対して相対的に動かすことで切断可能な弱化部と、を有するアンプル容器において、
前記キャップ体には、前記天壁部の下面から垂下された内筒部が備えられ、
該内筒部は、前記口部の内側に配置されているとともに前記開口に連通され、下方に向かうに従い漸次縮径されていることを特徴とするアンプル容器。
【請求項２】
請求項１記載のアンプル容器において、
前記内筒部は周方向に複数に分割されており、該内筒部を構成する複数の分割片は間隔をおいて環状に並設されていることを特徴とするアンプル容器。
【発明の詳細な説明】
【技術分野】
【０００１】
本発明は、アンプル容器に関する。
【背景技術】
【０００２】
飲料水や薬剤、肥料等の内溶液を収容するアンプル容器として、従来、例えば特許文献１に示されているような、内溶液が収容されたアンプル瓶本体部（容器本体）と、アンプル瓶本体部の口部の開口端の上方に起立されてアンプル瓶本体部を密封する把手部（頭部）と、把手部の下端と口部の上端との間に介在された頸部（弱化部）と、を備えた構成が知られている。このアンプル容器では、把手部をアンプル瓶本体部に対して相対的に折り曲げることで頸部が切断され、アンプル瓶本体部が開封される。
【０００３】
また、アンプル容器として、従来、例えば特許文献２に示されているような、アンプル本体（容器本体）と、アンプル本体の口部に装着される栓部（キャップ体）と、が備えられ、前記栓部にねじ切り頭部（頭部）及び薄肉部（弱化部）がそれぞれ形成された構成も知られている。つまり、容器本体と頭部及び弱化部とが別体になった構成のアンプル容器である。上記キャップは、口部内に連通する開口が形成された天壁部と、天壁部の外縁部から垂下されて口部の外側に周設された外筒部と、上記開口の上方に配設されたねじ切り頭部と、ねじ切り頭部の下端部と天壁部の上面との間に介在された薄肉部と、を備えている。このアンプル容器では、ねじ切り頭部をアンプル本体に対して相対的に回転させることで薄肉部がねじ切られ、アンプル本体が開封される。
【特許文献１】実開平５−１３４４１号公報
【特許文献２】特開２００３−１１６９６４号公報
【発明の開示】
【発明が解決しようとする課題】
【０００４】
しかしながら、上記した従来のアンプル容器では、開封時に内溶液の液ハネが生じ易いという問題がある。詳しく説明すると、頭部を容器本体に対して相対的に動かして弱化部を切断する際、容器本体内の内溶液の液面に揺れが生じ、容器本体内の内溶液が容器本体の肩部の内周面に沿って跳ね上がり、内溶液が口部から容器の外へ飛散する。
【０００５】
本発明は、上記した従来の問題が考慮されたものであり、開封時における内溶液の液ハネを防止することができるアンプル容器を提供することを目的としている。
【課題を解決するための手段】
【０００６】
本発明に係るアンプル容器は、内容液を収容した容器本体と、該容器本体の口部に装着されるキャップ体と、を備えており、該キャップ体が、前記口部内に連通する開口が形成された天壁部と、該天壁部から垂下されて前記口部の外側に周設された外筒部と、前記開口の上方に配設された頭部と、該頭部の下端に連設されて該頭部を前記容器本体に対して相対的に動かすことで切断可能な弱化部と、を有するアンプル容器において、前記キャップ体には、前記天壁部の下面から垂下された内筒部が備えられ、該内筒部は、前記口部の内側に配置されているとともに前記開口に連通され、下方に向かうに従い漸次縮径されていることを特徴としている。
【０００７】
このような特徴により、頭部を容器本体に対して相対的に動かして弱化部を切断する際、容器本体内の内溶液の液面に揺れが生じて内溶液が跳ね上がっても、その内溶液は内筒部によって遮られるので、天壁部の開口から容器本体の外へ内溶液が飛び出ることが防止される。また、内筒部は下方に向かうに従い漸次縮径されているので、内筒部の下側の開口面積が小さく、跳ね上がった内溶液が内筒部の内側に入り込みにくい。
【０００８】
また、本発明に係るアンプル容器は、前記内筒部は周方向に複数に分割されており、該内筒部を構成する複数の分割片は間隔をおいて環状に並設されていることが好ましい。
【０００９】
これにより、アンプル容器を傾倒させて天壁部の開口から内溶液を注出する際、隣り合う分割片の間から内溶液が流出するため、内筒部の外周部分に内溶液が溜まることが防止される。
【発明の効果】
【００１０】
本発明に係るアンプル容器によれば、容器本体内の内溶液の液面に揺れが生じて内溶液が跳ね上がっても、その内溶液は内筒部によって遮られるので、開封時における内溶液の液ハネを防止することができる。
【発明を実施するための最良の形態】
【００１１】
以下、本発明に係るアンプル容器の実施の形態について、図面に基いて説明する。
図１は本発明に係るアンプル容器の一例を示した縦半断面図であり、図２は後述するキャップ体３を下方から見た平面図である。
なお、本実施の形態では、容器本体２の口部２３側（図１における上側）を上方とし、その反対側（図１における下側）を下方とする。また、図１に示す鎖線Ｌはアンプル容器１の中心軸線であり、以下単に中心軸線Ｌと記す。
【００１２】
図１に示すように、アンプル容器１は、内容液Ｘを収容した容器本体２と、容器本体２の口部２３に装着されたキャップ体３と、を備えている。容器本体２及びキャップ体３は、それぞれ例えば合成樹脂やガラス等からなる部材であり、容器本体２にキャップ体３を組み付けることによりアンプル容器１が製作される。
【００１３】
容器本体２は、中心軸線Ｌに沿って延びる略円筒形状の胴部２０と、この胴部２０の下方に設けられて胴部２０の下端を閉塞する底部２１と、前記胴部２０の上端部に連設されているとともに胴部２０の上端から上方に向かうに従い漸次縮径された肩部２２と、この肩部２２の上方に配設された口部２３と、を備えている。口部２３の下端部の外周面には、口部２３の径方向の外側に突出した凸状の係止部２３ａが全周に亘って形成されている。なお、上記した胴部２０、肩部２２及び口部２３は、中心軸線Ｌを共通軸として同軸上に延設されており、底部２１は中心軸線Ｌに対して垂直に配設されている。
【００１４】
キャップ体３は、中心軸線Ｌに対して垂直に配設された天壁部３０と、天壁部３０の外縁部から垂下された外筒部３１と、天壁部３０の下面から垂下されて外筒部３１の内側に配設されたシール筒部３２と、天壁部３０の上方に起立された中空の頭部３３と、頭部３３の下端に連設された弱化部３４と、天壁部３０の下面から垂下されてシール筒部３２の内側に配設された筒状の内筒部３５と、を備えている。
【００１５】
天壁部３０は、口部２３の上方に配設された円環状の板部であり、その中央部分には、口部２３内に連通する平面視円形の開口３０ａが形成されている。
外筒部３１は、略円筒形状の連続壁であり、口部２３の外側に周設されている。外筒部３１の下端部の内周面には、外筒部３１の径方向の内側に突出した係止部３１ａが全周に亘って形成されており、この係止部３１ａが、上記した口部２３の係止部２３ａに係止されることで、外筒部３１と口部２３とがアンダーカット嵌合されている。なお、外筒部３１の内周面に雌ねじが形成され、口部２３の外周面に雄ねじが形成され、外筒部３１と口部２３とがねじ嵌合されていてもよい。
シール筒部３２は、略円筒形状の連続壁であり、口部２３の内側に嵌合されている。このシール筒部３２の外周面は口部２３の内周面に液密に密接されている。
【００１６】
頭部３３は、中心軸線Ｌに沿って延びた筒状の部材であり、容器本体２の口部２３の開口端（上端）の上方に配設されている。詳しく説明すると、頭部３３は、中心軸線Ｌに対して垂直に配設された天壁部３３ａと、天壁部３３ａの外縁部から垂下された周壁部３３ｂと、を備えている。頭部３３の下端は天壁部３０の開口３０ａ側に向けて開放されており、上側から、頭部３３の内部、弱化部３４の内側、天壁部３０の開口３０ａ及び内筒部３５の内部の順で連通されている。頭部３３の上端は天壁部３３ａにより閉塞されており、この頭部３３によって容器本体２が密封されている。周壁部３３ｂの下部の外周面は下方に向かうに従い漸次拡径されている。
【００１７】
弱化部３４は、頭部３３の下端部と天壁部３０の内縁部（開口３０ａの外周部）との間に介在された環状の連結部であり、頭部３３等の他の部位よりも脆弱であって頭部３３を容器本体２に対して相対的に折り曲げる（傾倒させる）ことで切断可能になっている。具体的に説明すると、弱化部３４は、環状の薄肉部であり、その外周面に縦断面視略三角形状の切り込みが全周に亘って入れられた形状になっている。つまり、弱化部３４の外径は頭部３３の下端から下方に向かうに従い漸次縮径されており、弱化部３４の下端部が最も薄肉であって容易に切断可能になっている。
【００１８】
内筒部３５は、下方に向かうに従い漸次縮径されたテーパー形状の筒部であり、天壁部３０の内縁部（開口３０ａの外周部）から垂下されて口部２３の内側に配設されている。内筒部３５の両端はそれぞれ開放されており、内筒部３５の内部は、天壁部３０の開口３０ａに連通されているとともに口部２３の内側に連通されている。内筒部３５の外周面は、容器本体２（口部２３）の内周面やシール筒部３２の内周面に対して口部径方向に離間されている。
【００１９】
また、図２に示すように、内筒部３５は、その周方向に複数に分割されている。つまり、内筒部３５は、天壁部３０の内縁（開口３０ａの外周）に沿って環状に並設された複数の分割片３６によって構成されている。分割片３６は、天壁部３０の内縁部（開口３０ａの外周部）から中心軸線Ｌ側に向けて下向きに傾斜した棒状部材であり、天壁部３０の内縁（開口３０ａの縁）に沿って複数配設されている。複数の分割片３６は、周方向に間隔をおいて配設されており、隣り合う分割片３６間には隙間Ｇが形成されている。
【００２０】
次に、上記した構成からなるアンプル容器１の作用について説明する。
【００２１】
アンプル容器１を開封する際、アンプル容器１を縦置きにした状態（口部２３が上向きになる状態）で、頭部３３を容器本体２に対して相対的に折り曲げる。例えば、一方の手で容器本体２の胴部２０を把持するとともに、他方の手で頭部３３の周壁部３３ｂを把持し、頭部３３を折り曲げる。これにより、弱化部３４が切断され、頭部３３を容器本体２や他のキャップ体３の部位から切り離される。そして、頭部３３が切り離されると、天壁部３０の開口３０ａが開放され、アンプル容器１が開封される。
【００２２】
このとき、容器本体２内の内溶液Ｘの液面に揺れが生じ、容器本体２内の内溶液Ｘが肩部２２の内周面に沿って跳ね上がる場合がある。このように、内溶液Ｘが跳ね上がっても、その内溶液Ｘは内筒部３５によって遮られるので、天壁部３０の開口３０ａから容器本体２の外へ内溶液Ｘが飛び出ることが防止される。
また、内筒部３５は、下方に向かうに従い漸次縮径された形状になっているため、内筒部３５の下端の開口面積が小さく、跳ね上がった内溶液Ｘが内筒部３５の内側に入り難くい。
【００２３】
次に、アンプル容器１（容器本体２）を傾倒させて天壁部３０の開口３０ａから容器本体２内の内溶液Ｘを注出させる。このとき、隣り合う分割片３６間の隙間Ｇが内溶液Ｘの流路となり、この隙間Ｇから内溶液Ｘが流出する。仮に、内筒部３５が連続壁からなると、アンプル容器１を傾倒させて内溶液Ｘを注出したときに、内筒部３５の外周面とシール筒部３２の内周面との間に内溶液Ｘが溜まり、この溜まった分の内溶液Ｘはアンプル容器１内に残留することになるが、内筒部３５が周方向に複数に分割されている場合には、上述したように隙間Ｇから内溶液Ｘが流出するため、内筒部３５の外周部分に内溶液Ｘが溜まることが防止される。
【００２４】
なお、天壁部３０の開口３０ａから容器本体２内に図示せぬストローや注射針を挿入し、これらストローや注射針等によって容器本体２内の内溶液Ｘを吸い上げることも可能である。このとき、内筒部３５の内側にストローや注射針等が挿通される。
【００２５】
上記した構成からなるアンプル容器１によれば、肩部２２の内周面に沿って跳ね上がった内溶液Ｘが内筒部３５によって遮られるので、アンプル容器１の開封時における内溶液Ｘの液ハネを防止することができる。
特に、上記したアンプル容器１では、内筒部３５の下端の開口面積が小さく、跳ね上がった内溶液Ｘが内筒部３５の内側に入り難くなっているため、内筒部３５によって内溶液Ｘの液ハネを確実に防止することができる。
【００２６】
また、内筒部３５が周方向に複数に分割されており、内筒部３５を構成する複数の分割片３６が間隔をおいて並設されており、アンプル容器１を傾倒させて天壁部３０の開口３０ａから容器本体２内の内溶液Ｘを注出させる際、隣り合う分割片３６間の隙間Ｇから内溶液Ｘが流出するため、容器本体２内の内溶液Ｘを残さずに注出させることができ、内溶液Ｘの残量を低減させることができる。
【００２７】
以上、本発明に係るアンプル容器の実施の形態について説明したが、本発明は上記した実施の形態に限定されるものではなく、その趣旨を逸脱しない範囲で適宜変更可能である。
例えば、上記した実施の形態では、複数の分割片３６に分割された内筒部３５が天壁部３０の下面から垂下されているが、本発明は、連続壁からなる内筒部が天壁部３０の下面から垂下されていてもよい。
【００２８】
また、上記した実施の形態では、天壁部３０の内縁部（開口３０ａの外周部）から内筒部３５が垂下されているが、本発明は、天壁部３０の開口３０ａよりも径方向外側の天壁部３０下面から内筒部３５が垂下されていてもよい。
【００２９】
また、上記した実施の形態では、複数の分割片３６が天壁部３０の内縁（開口３０ａの外周）に沿って並設されているが、本発明は、複数の分割片３６が天壁部３０の開口３０ａの外周に沿って並設されていなくてもよい。例えば、平面視円形の開口３０ａの周りに複数の分割片３６を平面視矩形状に並設してもよい。また、連続壁からなる内筒部の場合でも同様であり、例えば、平面視円形の開口３０ａに連通する角筒形状の内筒部が設けられていてもよい。
【００３０】
また、上記した実施の形態では、上方に向けて延びた筒形状の頭部３３が備えられているが、本発明は、頭部の形状は適宜変更可能である。例えば、中実柱状の頭部であってもよく、或いは、球状、板状、その他の形状の頭部であってもよい。
【００３１】
また、上記した実施の形態では、全周に亘って薄肉にした弱化部３４が形成されているが、本発明は、薄肉の弱化部３４に限定されるものではなく、頭部３３を容器本体２に対して相対的に動かすことで切断可能な弱化部であればよい。例えば、非貫通の切れ目を周方向に間欠的に形成した弱化部であってもよく、或いは、頭部３３や天壁部３０よりも脆弱な材料によって成形された弱化部であってもよく、或いは、頭部３３と天壁部３０とを別々に成形してこれらを溶着等で接合した構成にすることで、その接合部分を弱化部とすることも可能である。
【００３２】
また、上記した実施の形態では、頭部３３を容器本体２に対して相対的に折り曲げることで弱化部３４を切断しているが、本発明は、頭部３３を容器本体２に対して相対的に折り曲げることで切断される弱化部３４に限定するものではなく、他の動作によって切断される弱化部であってもよい。例えば、頭部３３を容器本体２に対して相対的に回転させることでねじ切られる弱化部であってもよい。
【００３３】
また、上記した実施の形態では、頭部３３の下端部と天壁部３０の内縁部との間に弱化部３４が介在されているが、本発明は、天壁部３０の内縁部に沿って筒状の立上り部が立設され、その立上り部の上端部と頭部３３の下端部との間に弱化部３４が介在された構成であってもよい。
【００３４】
また、上記した実施の形態では、天壁部３０の下面に、口部２３の内側に嵌合されるシール筒部３２が垂下されているが、シール筒部３２が設けられていないキャップ体を用いることも可能である。
【００３５】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００３６】
【図１】本発明の実施の形態を説明するためのアンプル容器の縦半断面図である。
【図２】本発明の実施の形態を説明するためのキャップ体を下方から見た平面図である。
【符号の説明】
【００３７】
１  アンプル容器
２  容器本体
３  キャップ体
２３  口部
３３  頭部
３４  弱化部
３５  内筒部
３６  分割片
【図１】
2009153900.tif 000003
【図２】
2009153900.tif 000004